(57)【要約】【課題】部品点数の減少を図ることができる照明器具を提供する。【解決手段】  照明器具１０は、器具本体１１と、器具本体１１上に取り付けられた電子式安定器１２と、電子式安定器１２を覆い、充電部保護カバーを兼ねるブロックカバー１３と、ブロックカバー１３の下方に配置された蛍光灯ランプ１４と、蛍光灯ランプ１４を含む器具本体１１の下面全体を覆う透光性のグローブ１５と、を備え、ブロックカバー１３の一部にグローブ１５を保持するブロックカバー側グローブ受け部１８を設けた。【選択図】図１
2010251210.tif 000002
【特許請求の範囲】
【請求項１】
器具本体と、
前記器具本体上に取り付けられた電子式安定器と、
前記電子式安定器を覆い、充電部保護カバーを兼ねるブロックカバーと、
前記ブロックカバーの下方に配置された蛍光灯ランプと、
前記蛍光灯ランプを含む前記器具本体の下面全体を覆う透光性のグローブと、
を備えた照明器具であって、
前記ブロックカバーの一部に前記グローブを保持するブロックカバー側グローブ受け部を設けたことを特徴とする照明器具。
【請求項２】
前記ブロックカバーの外周部の一部は、回転取付けされる前記グローブの取付け時に最初に前記器具本体側に接する箇所の回転軌跡上に配置されていることを特徴とする請求項１に記載した照明器具。
【請求項３】
前記ブロックカバー側グローブ受け部は、回転取付けされる前記グローブの取付部の回転軌跡上に配置されていることを特徴とする請求項１または２に記載した照明器具。
【発明の詳細な説明】
【技術分野】
【０００１】
本発明は、例えば住宅等の天井面に直接取り付けられる直付型の照明器具に関する。
【背景技術】
【０００２】
本発明者らは、点灯回路部と赤外線リモコン信号を受信する受光素子とを同一の回路基板上に実装した安定器を有する照明器具を既に提案している（例えば、特許文献１参照）。
【０００３】
本発明者らは、器具本体上に取り付けられている２つの安定器を覆うカバーを備えた照明器具を既に提案している（例えば、特許文献２参照）。
【先行技術文献】
【特許文献】
【０００４】
【特許文献１】特開２００９−５４４８８号公報（図１、請求項１）
【特許文献２】特開２００６−３０２５３３号公報（図１、請求項１）
【発明の概要】
【発明が解決しようとする課題】
【０００５】
ところで、上記特許文献１および上記特許文献２に開示された照明器具において、電子式安定器を覆う充電部保護カバーを兼ねたブロックカバーの形状は、一般的直方体であり、デザイン性を考慮して天面の全稜線のＣ面を設けている。
【０００６】
電子式安定器の器具本体上の配置に関しては、回転取付けされるグローブの取付け時のグローブ軌跡と干渉しないように電子式安定器を配置するために、電子式安定器のサイズの規制が厳しい。
従って、電子式安定器を避けた位置にグローブを取り付けるための複数の受け具を取り付けることになって部品点数が増大する虞がある。
【０００７】
本発明は、前述した課題を解決するためになされたものであり、その目的は、部品点数の減少を図ることができる照明器具を提供することにある。
【課題を解決するための手段】
【０００８】
本発明に係る照明器具は、器具本体と、前記器具本体上に取り付けられた電子式安定器と、前記電子式安定器を覆い、充電部保護カバーを兼ねるブロックカバーと、前記ブロックカバーの下方に配置された蛍光灯ランプと、前記蛍光灯ランプを含む前記器具本体の下面全体を覆う透光性のグローブと、を備えた照明器具であって、前記ブロックカバーの一部に前記グローブを保持するブロックカバー側グローブ受け部を設けたことを特徴とする。
【０００９】
本発明においては、ブロックカバーの一部に設けたブロックカバー側グローブ受け部によりグローブを保持する。
これにより、複数の受け具を取り付ける必要がなくなる。
従って、部品点数の減少を図ることができる。
【００１０】
本発明に係る照明器具は、上記構成の照明器具において、前記ブロックカバーの外周部の一部は、回転取付けされる前記グローブの取付け時に最初に前記器具本体側に接する箇所の回転軌跡上に配置されていることを特徴とする。
【００１１】
本発明においては、ブロックカバーの外周部の一部をグローブの取付け時に最初に器具本体側に接する箇所の回転軌跡上に配置した。
これにより、グローブに有する取付部の軌跡のスペースを電子式安定器の配置スペースとして利用することができる。
従って、従来のものと比べて、電子式安定器の実装面積を増すことができ、電子式安定器の面積（体積）を増大させることにより温度条件が緩和されるために寿命伸長や安価な電子部品の採用が可能となる。
【００１２】
本発明に係る照明器具は、上記構成の照明器具において、前記ブロックカバー側グローブ受け部は、回転取付けされる前記グローブの取付部の回転軌跡上に配置されていることを特徴とする。
【００１３】
本発明においては、ブロックカバー側グローブ受け部が、回転取付けされるグローブの取付部の回転軌跡上に配置されている。
従って、グローブを回転させることにより、グローブの取付部の回転軌跡上に配置されているブロックカバー側グローブ受け部にグローブの取付部を簡単に係合させることができる。
【発明の効果】
【００１４】
本発明の照明器具によれば、電子式安定器を覆い、充電部保護カバーを兼ねるブロックカバーの一部にグローブを保持するブロックカバー側グローブ受け部を設けた。
これにより、部品点数の減少を図ることができるという効果を有する。
【図面の簡単な説明】
【００１５】
【図１】本発明に係る一実施形態の照明器具の垂直断面図
【図２】図１に示した照明器具の底面図
【発明を実施するための形態】
【００１６】
以下、本発明の一実施形態に係る照明器具について図面を参照して説明する。
【００１７】
図１に示すように、本発明の一実施形態である照明器具１０は、器具本体１１と、電子式安定器１２と、ブロックカバー１３と、２重管環状の蛍光灯ランプ１４と、グローブ１５と、を主として備える。
【００１８】
器具本体１１は、金属製で円板形状に形成されている。器具本体１１の中央部には開口部１６を有する。器具本体１１の外縁部には電子式安定器１２から離れた位置に２個のグローブ止め具１７が取り付けられている。
【００１９】
電子式安定器１２は、インバータ回路を含む電子部品により構成されており、器具本体１１の下面において開口部１６の側部に固定されている。電子式安定器１２の側部には不図示の充電部が配置されている。
【００２０】
ブロックカバー１３は、鋼板製であって直方体形状の外形に形成されている。ブロックカバー１３は電子式安定器１２を覆うとともに充電部の保護カバーを兼ねる。
【００２１】
ブロックカバー１３は、その外周の一部にブロックカバー側グローブ受け部１８を形成している。
【００２２】
２重管環状の蛍光灯ランプ１４は、それらの一部に口金１９を有し、器具本体１１に取り付けられているランプ保持部品２０により器具本体１１に保持されている。
【００２３】
グローブ１５は、例えば乳白色の樹脂材料を用いて床面側を凸とした略半球形状に形成されている。グローブ１５は、その内周面２１の円周上の１２０度間隔の３カ所に、係合突起形状をなして中心に向けて突出した取付部２２をそれぞれ有する。
【００２４】
図２に示すように、器具本体１１は、開口部１６にアダプタ取付部品２３を介して電源給電アダプタ２４が装着されている。電源給電アダプタ２４は天井面１に設けられている不図示の省施工用部品に引掛接続されることにより器具本体１１に電源を引き込む。
【００２５】
ブロックカバー１３の一部には凹部２５が形成されている。凹部２５には器具本体１１に取り付けられていて照明状態を制御する赤外線リモコン信号を受信する受光素子２６と、常夜灯２７と、受信信号のチャンネル切換えやリセット等を司る操作スイッチ２８とが露出している。
【００２６】
ブロックカバー１３の外周部の一部は、回転取付けされるグローブ１５の取付け時に最初に器具本体１１側に接する箇所の回転軌跡上に配置されている。
【００２７】
そして、ブロックカバー側グローブ受け部１８は、回転取付けされるグローブ１５の取付部２２の回転軌跡上においてブロックカバー１３の外周部から中心に向けて切除されて形成されている。
【００２８】
このような照明器具１０では、グローブ１５の器具本体１１への取付用となる部品は、２個のグローブ止め具１７とブロックカバー１３に形成されたブロックカバー側グローブ受け部１８とからなる。
【００２９】
そして、グローブ１５の器具本体１１への取付けにあたり、まず、グローブ１５の内周面２１をブロックカバー１３のブロックカバー側グローブ受け部１８に引掛ける。
【００３０】
次に、グローブ１５の内周面２１内に２個のグローブ止め具１７を収容し、内周面２１がブロックカバー１３のブロックカバー側グローブ受け部１８に引掛っているグローブ１５を予め定められた角度だけ回転（回動）させる。
【００３１】
そして、取付部２２の１個がブロックカバー側グローブ受け部１８に係合されることにより、取付部２２の残りの２個がグローブ止め具１７にそれぞれ係合され、グローブ１５が器具本体１１に取付けられる。
【００３２】
本発明の一実施形態の照明器具１０では、ブロックカバー１５の一部に設けたブロックカバー側グローブ受け部１８によりグローブ１５を保持する。
これにより、複数のグローブ受け具１７を取り付ける必要がなくなる。
従って、部品点数の減少を図ることができる。
【００３３】
本発明の一実施形態の照明器具１０では、ブロックカバー１３の外周部の一部をグローブ１５の取付け時に最初に器具本体１１側に接する箇所の回転軌跡上に配置した。
これにより、グローブ１５に有する取付部２２の軌跡のスペースを電子式安定器１２の配置スペースとして利用することができる。
従って、従来のものと比べて、電子式安定器１２の実装面積を増すことができ、電子式安定器１２の面積（体積）を増大させることにより温度条件が緩和されるために寿命伸長や安価な電子部品の採用が可能となる。
【００３４】
本発明の一実施形態の照明器具１０では、ブロックカバー側グローブ受け部１８が、回転取付けされるグローブ１５の取付部２２の回転軌跡上に配置されている。
従って、グローブ１５を回転させることにより、グローブ１５の取付部２２の回転軌跡上に配置されているブロックカバー側グローブ受け部１８にグローブ１５の取付部２２を簡単に係合させることができる。
【００３５】
なお、前記各実施形態で使用した器具本体１１、電子式安定器１２、蛍光灯ランプ１４、グローブ１５等は例示したものに限定するものではなく適宜変更が可能である。
【符号の説明】
【００３６】
１０  照明器具
１１  器具本体
１２  電子式安定器
１３  ブロックカバー
１４  蛍光灯ランプ
１５  グローブ
１８  ブロックカバー側グローブ受け部
２２  取付部
【図１】
2010251210.tif 000003
【図２】
2010251210.tif 000004